(57)【要約】【課題】内部レイアウトを低コストで柔軟に設計できるようにする。【解決手段】一時保留部側搬送路８２を形成する下側搬送ガイド８０に、一時保留部側搬送路８２の搬送方向（前後方向）に沿って延びる第１ガイド部１００と、第１ガイド部１００の先端から、上下方向に延びる本体側搬送路９２に向かって下方に曲がっていくように延びる第２ガイド部１０１とを設け、さらに第１ガイド部１００の第２ガイド部１０１側に第１の入れ子部１０２を設けるとともに、第２ガイド部１０１の先端に第２の入れ子部１０３を設けるようにした。【選択図】図５
2020200132.tif 000002
【特許請求の範囲】
【請求項１】
媒体を搬送するための第１の搬送路を形成する第１の搬送ガイドを有する第１のユニットと、前記第１の搬送路と接続される第２の搬送路を形成する第２の搬送ガイドを有する第２のユニットとを備え、
前記第１の搬送ガイドは、
前記第１の搬送路の搬送方向に沿って延びる第１ガイド部と、前記第１の搬送路の先端からさらに前記第１の搬送路の搬送方向とは異なる方向に曲がりながら延びる第２ガイド部とを有し、前記第１ガイド部の前記第２ガイド部側に第１の入れ子部が設けられているとともに、前記第２ガイド部の先端に第２の入れ子部が設けられている
ことを特徴とする媒体処理装置。
【請求項２】
前記第１の入れ子部と前記第２の入れ子部は、
前記第１の搬送ガイドにおける前記第１の搬送路の搬送方向と直交する幅方向に位置をずらして配置されている
ことを特徴とする請求項１に記載の媒体処理装置。
【請求項３】
前記第１の搬送路の搬送方向と前記第２の搬送路の搬送方向は異なる方向であり、
前記第１の搬送ガイドの前記第２ガイド部は、
前記第１ガイド部の先端から前記第２の搬送路に向かって曲がりながら延び、
前記第２の搬送ガイドは、
前記第２の搬送路の搬送方向に沿って延びる第３ガイド部と、前記第３ガイド部の先端から前記第１の搬送路に向かって曲がりながら延びる第４ガイド部とを有し、前記第４ガイド部の先端に第３の入れ子部が設けられているとともに、前記第４ガイド部の前記第３ガイド部側に第４の入れ子部が設けられ、
前記第１の搬送ガイドと前記第２の搬送ガイドは、
前記第１の入れ子部と前記第３の入れ子部、及び前記第２の入れ子部と前記第４の入れ子部とが、前記第１の搬送路及び前記第２の搬送路間での媒体の搬送方向に対向する入れ子構造で連結される
ことを特徴とする請求項２に記載の媒体処理装置。
【請求項４】
前記第１の搬送ガイドの前記第２ガイド部は、
前記第１の搬送ガイドの幅方向に間隔を空けて配置された複数の爪部によって形成され、当該爪部の間に前記第１の入れ子部が配置されているとともに、当該爪部の先端に前記第２の入れ子部が設けられ、
前記第２の搬送ガイドの前記第４ガイド部は、
前記第２の搬送ガイドにおける前記第２の搬送路の搬送方向と直交する幅方向に間隔を空けて配置された複数の爪部によって形成され、当該爪部の先端に前記第３の入れ子部が設けられているとともに、当該爪部の間に前記第４の入れ子部が配置されている
ことを特徴とする請求項３に記載の媒体処理装置。
【請求項５】
前記第１の搬送路の搬送方向と、前記第２の搬送路の搬送方向は同一方向であり、
前記第２の搬送ガイドは、
前記第２の搬送路の搬送方向に沿って延びる第５ガイド部と、前記第５ガイド部の先端から前記第１の搬送路に向かって延びる第６ガイド部とを有し、前記第６ガイド部の先端に第５の入れ子部が設けられ、前記第５ガイド部の前記第６ガイド部側に第６の入れ子部が設けられ、
前記第１の搬送ガイドと前記第２の搬送ガイドは、
前記第１の入れ子部と前記第５の入れ子部、及び前記第２ガイド部における前記第２の入れ子部よりも前記第１ガイド部に近い部分と前記第６の入れ子部とが、前記第１の搬送路及び前記第２の搬送路間での媒体の搬送方向に対向する入れ子構造で連結される
ことを特徴とする請求項２に記載の媒体処理装置。
【請求項６】
前記第１の搬送ガイドの前記第２ガイド部は、
前記第１の搬送ガイドの幅方向に間隔を空けて配置された複数の爪部によって形成され、当該爪部の間に前記第１の入れ子部が配置されているとともに、当該爪部の先端に前記第２の入れ子部が設けられ、
前記第２の搬送ガイドの前記第６ガイド部は、
前記第２の搬送ガイドにおける前記第２の搬送路の搬送方向と直交する幅方向に間隔を空けて配置された複数の爪部によって形成され、当該爪部の先端に前記第５の入れ子部が設けられているとともに、当該爪部の間に前記第６の入れ子部が配置されている
ことを特徴とする請求項５に記載の媒体処理装置。
【請求項７】
前記第１の搬送ガイドは、
さらに前記第２ガイド部の前記第２の入れ子部に向かう途中に第３の入れ子部が設けられている
ことを特徴とする請求項１に記載の媒体処理装置。
【請求項８】
前記第１の入れ子部と前記第２の入れ子部は、
前記第１の搬送ガイドにおける前記第１の搬送路の搬送方向と直交する幅方向に位置をずらして配置され、
前記第１の入れ子部と前記第３の入れ子部は、
前記幅方向に位置を揃えて配置されている
ことを特徴とする請求項７に記載の媒体処理装置。
【請求項９】
前記第１の搬送路の搬送方向と前記第２の搬送路の搬送方向は異なる方向であり、
前記第１の搬送ガイドの前記第２ガイド部は、
前記第１ガイド部の先端から前記第２の搬送路に向かって湾曲しながら延び、
前記第２の搬送ガイドは、
前記第２の搬送路の搬送方向に沿って延びる第３ガイド部を有し、前記第３ガイド部の先端に第５の入れ子部が設けられているとともに、前記第３ガイド部の前記第５の入れ子部に向かう途中に第４の入れ子部が設けられ、
前記第１の搬送ガイドと前記第２の搬送ガイドは、
前記第２の入れ子部と前記第４の入れ子部、及び前記第３の入れ子部と前記第５の入れ子部とが、前記第１の搬送路及び前記第２の搬送路間での媒体の搬送方向に対向する入れ子構造で連結される
ことを特徴とする請求項７に記載の媒体処理装置。
【請求項１０】
前記第１の搬送ガイドの前記第２ガイド部は、
前記第１の搬送ガイドの幅方向に間隔を空けて配置された複数の爪部によって形成され、当該爪部の間に前記第１の入れ子部と前記第３の入れ子部が配置されているとともに、当該爪部の先端に前記第２の入れ子部が設けられ、
前記第２の搬送ガイドの前記第３ガイド部は、
前記第２の搬送ガイドにおける前記第２の搬送路の搬送方向と直交する幅方向に間隔を空けて配置された複数の爪部によって形成され、当該爪部の間に前記第４の入れ子部が配置されているとともに、当該爪部の先端に前記第５の入れ子部が設けられている
ことを特徴とする請求項９に記載の媒体処理装置。
【請求項１１】
前記第１の搬送路の搬送方向と、前記第２の搬送路の搬送方向は同一方向であり、
前記第２の搬送ガイドは、
前記第２の搬送路の搬送方向に沿って延びる第４ガイド部と、前記第４ガイド部の先端から前記第１の搬送路に向かって延びる第５ガイド部とを有し、前記第５ガイド部の先端に第６の入れ子部が設けられ、前記第４ガイド部の前記第５ガイド部側に第７の入れ子部が設けられ、
前記第１の搬送ガイドと前記第２の搬送ガイドは、
前記第１の入れ子部と前記第６の入れ子部、及び前記第２ガイド部における前記第２の入れ子部よりも前記第１ガイド部に近い部分と前記第７の入れ子部とが、前記第１の搬送路及び前記第２の搬送路間での媒体の搬送方向に対向する入れ子構造で連結される
ことを特徴とする請求項７に記載の媒体処理装置。
【請求項１２】
前記第１の搬送ガイドの前記第２ガイド部は、
前記第１の搬送ガイドの幅方向に間隔を空けて配置された複数の爪部によって形成され、当該爪部の間に前記第１の入れ子部と前記第３の入れ子部が配置されているとともに、当該爪部の先端に前記第２の入れ子部が設けられ、
前記第２の搬送ガイドの前記第５ガイド部は、
前記第２の搬送ガイドにおける前記第２の搬送路の搬送方向と直交する幅方向に間隔を空けて配置された複数の爪部によって形成され、当該爪部の先端に前記第６の入れ子部が設けられているとともに、前記爪部の間に前記第７の入れ子部が配置されている
ことを特徴とする請求項１１に記載の媒体処理装置。
【請求項１３】
前記第２ガイド部は、
前記第１の搬送路の搬送方向と前記第２の搬送路の搬送方向とが、同一方向の場合と異なる方向の場合とのいずれの場合においても、前記第２の搬送ガイドとの間で入れ子構造を形成する共通入れ子部である
ことを特徴とする請求項１に記載の媒体処理装置。
【請求項１４】
請求項１〜１３のいずれかに記載の媒体処理装置を備えた
ことを特徴とする自動取引装置。
【発明の詳細な説明】
【技術分野】
【０００１】
本発明は、媒体処理装置及び自動取引装置に関するものであり、例えば紙幣などの媒体を投入して所望の取引を行う現金自動預払機（ＡＴＭ：Automatic Teller Machine）に適用して好適なものである。
【背景技術】
【０００２】
従来、金融機関等で使用される現金自動預払機では、使用者（例えば金融機関の顧客）との取引内容に応じて、顧客に紙幣や硬貨等の現金を入金させる入金取引や、顧客へ現金を出金する出金取引等の各種取引を行うようになっている。
【０００３】
このような現金自動預払機として、例えば、紙幣に関する処理を行う複数のユニットを有し、ユニット間で紙幣を受け渡すようにしたものがある。このような現金自動預払機では、例えば、第１のユニットに第１の搬送路を形成する第１の搬送ガイドが設けられているとともに、第２のユニットに第２の搬送路を形成する第２の搬送ガイドが設けられ、第１の搬送ガイドと第２の搬送ガイドとの継ぎ目部分を入れ子構造にすることにより、第１のユニットに形成される第１の搬送路と第２のユニットに形成される第２の搬送路との間で、スムーズに紙幣を受け渡すことができるようになっている（例えば特許文献１参照）。
【先行技術文献】
【特許文献】
【０００４】
【特許文献１】特開平０６−２１９５９６号公報
【発明の概要】
【発明が解決しようとする課題】
【０００５】
しかしながら、従来の現金自動預払機では、第１のユニットと第２のユニットとの間を例えば水平方向の搬送経路で接続する場合には、水平方向の搬送経路用に設計された第１のユニットと第２のユニットとが必要であり、第１のユニットと第２のユニットとの間を例えば垂直方向の搬送経路で接続する場合には、垂直方向の搬送経路用に設計された第１のユニットと第２のユニットとが必要であった。ここで、例えば、第１のユニットが、異なる２方向の搬送経路で流用できれば、現金自動預払機の内部レイアウトを低コストで柔軟に設計できるようになると考えられる。
【０００６】
本発明は以上の点を考慮したものであり、内部レイアウトを低コストで柔軟に設計できる媒体処理装置及び自動取引装置を提案しようとするものである。
【課題を解決するための手段】
【０００７】
かかる課題を解決するため本発明の媒体処理装置においては、媒体を搬送するための第１の搬送路を形成する第１の搬送ガイドを有する第１のユニットと、前記第１の搬送路と接続される第２の搬送路を形成する第２の搬送ガイドを有する第２のユニットとを備え、前記第１の搬送ガイドは、前記第１の搬送路の搬送方向に延びる第１ガイド部と、前記第１ガイド部の先端から前記第１の搬送路の搬送方向とは異なる方向に曲がりながら延びる第２ガイド部とを有し、前記第１ガイド部の前記第２ガイド部側に第１の入れ子部が設けられ、前記第２ガイド部の先端に第２の入れ子部が設けられているとした。
【０００８】
本発明の媒体処理装置によれば、第１の搬送路の搬送方向と第２の搬送路の搬送方向とが異なる場合には、例えば、第１の搬送ガイドの第１の入れ子部と第２の入れ子部とを、第２の搬送ガイドと入れ子にして、第１ガイド部及び第２ガイド部と、第２の搬送ガイドとで媒体をガイドするように第１の搬送路と第２の搬送路とを接続する。また第１の搬送路の搬送方向と第２の搬送路の搬送方向とが同一である場合には、例えば、第１の搬送ガイドの第１の入れ子部と第２ガイド部の根本側を、第２の搬送ガイドと入れ子にして、第１ガイド部と第２の搬送ガイドとで媒体をガイドするように第１の搬送路と第２の搬送路とを接続する。これにより、本発明の媒体処理装置は、第１のユニットを、異なる２方向の搬送経路で流用できる。
【発明の効果】
【０００９】
かくして本発明は、内部レイアウトを低コストで柔軟に設計できる媒体処理装置及び自動取引装置を実現できる。
【図面の簡単な説明】
【００１０】
【図１】第１の実施の形態による現金自動預払機の外観構成を示す斜視図である。
【図２】第１の実施の形態による紙幣入出金機の内部構成を示す側面図である。
【図３】第１の実施の形態による紙幣入出金機の上部ユニット及び下部ユニットの内部構成を示す側面図である。
【図４】第１の実施の形態による一時保留部と上後搬送部との紙幣受け渡し部分の構成を示す側面図である。
【図５】第１の実施の形態による連結された状態の下側搬送ガイドと後側搬送ガイドの構成を示す斜視図である。
【図６】第１の実施の形態による連結された状態の下側搬送ガイドと後側搬送ガイドの構成を示す側面図である。
【図７】第１の実施の形態による一時保留部と上後搬送部との紙幣受け渡し部分（図４とは異なる搬送経路）の構成を示す側面図である。
【図８】第１の実施の形態による連結された状態の２つの下側搬送ガイドの構成を示す上面図である。
【図９】第１の実施の形態による連結された状態の２つの下側搬送ガイドの構成を示す側面図である。
【図１０】第２の実施の形態による一時保留部と上後搬送部との紙幣受け渡し部分の構成を示す側面図である。
【図１１】第２の実施の形態による連結された状態の下側搬送ガイドと後側搬送ガイドの構成を示す斜視図である。
【図１２】第２の実施の形態による連結された状態の下側搬送ガイドと後側搬送ガイドの構成を示す断面図である。
【図１３】第２の実施の形態による一時保留部と上後搬送部との紙幣受け渡し部分（図１０とは異なる搬送経路）の構成を示す側面図である。
【図１４】第２の実施の形態による連結された状態の２つの下側搬送ガイドの構成を示す断面図である。
【発明を実施するための形態】
【００１１】
以下、発明を実施するための形態（以下実施の形態とする）について、図面を用いて説明する。
【００１２】
［１．第１の実施の形態］
［１−１．現金自動預払機の全体構成］
図１に外観を示すように、第１の実施の形態による自動取引装置としての現金自動預払機１は、箱状の筐体２を中心に構成されており、例えば金融機関や各種商業施設等に設置され、使用者（すなわち金融機関や商業施設の顧客等）との間で、入金処理や出金処理等の現金に関する取引を行う。
【００１３】
筐体２は、その前側に使用者が対峙した状態で紙幣の投入やタッチパネルによる操作等をしやすい箇所に応対部３が設けられている。応対部３は、使用者との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００１４】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、使用者によって入金される紙幣が投入されると共に、使用者へ出金する紙幣が排出される部分である。また入出金口５は、シャッタを駆動することにより開放又は閉塞するようになっている。
【００１５】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１６】
以下では、現金自動預払機１のうち使用者が対峙する側を前側とし、その反対を後側とし、さらに前側に対峙した使用者から見て上下左右をそれぞれ上側、下側、左側及び右側として説明する。
【００１７】
筐体２の内部には、現金自動預払機１全体を統括制御する主制御部９や、取引対象である紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）や、ハードディスクドライブ、フラッシュメモリ等でなる記憶部を有しており、この記憶部に種々の情報を記憶させる。
【００１８】
［１−２．紙幣入出金機の構成］
紙幣入出金機１０は、図２に側面図を示すように、内部に媒体としての紙幣に関する種々の処理を行う複数の部分が組み込まれている。この紙幣は、例えば紙や樹脂等の材料を用いて形成された長方形の紙葉状媒体であり、紙幣入出金機１０内部では、短手方向に搬送されるようになっている。
【００１９】
紙幣入出金機１０は、大きく分けて、全体の外側部分を構成する紙幣入出金機フレーム１０Ｆと、紙幣入出金機フレーム１０Ｆの上側部分を占める上部ユニット１０Ｕと、下側部分を占める下部ユニット１０Ｌとにより構成されている。
【００２０】
紙幣入出金機フレーム１０Ｆは、筐体２（図１）の内部に取り付けられている。上部ユニット１０Ｕ及び下部ユニット１０Ｌは、この紙幣入出金機フレーム１０Ｆに対し、それぞれ前後方向に沿ったスライドレール（図示せず）を介して取り付けられている。このため紙幣入出金機１０は、例えば、筐体２の前扉が開放された状態において、紙幣入出金機フレーム１０Ｆから上部ユニット１０Ｕ及び下部ユニット１０Ｌのそれぞれを前方へ引き出すことができ、また、前方へ引き出した上部ユニット１０Ｕ及び下部ユニット１０Ｌのそれぞれを後方へ押し込むことにより、紙幣入出金機フレーム１０Ｆ内に格納することができるようになっている。
【００２１】
［１−２−１．上部ユニットの構成］
図２の上部を拡大した図３（Ａ）に示すように、上部ユニット１０Ｕには、全体を統括制御する紙幣制御部２０、接客部２１、上前搬送部２２、鑑別部２３、上後搬送部２４、一時保留部２５及びリジェクト庫２６が設けられている。
【００２２】
紙幣制御部２０は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部２０は、内部にＲＡＭやフラッシュメモリ等でなる記憶部を有しており、この記憶部に種々の情報を記憶させる。尚、図３（Ａ）に示す紙幣制御部２０の位置は、一例であり、上部ユニット１０Ｕの他の位置に設けられていてもよい。
【００２３】
接客部２１は、使用者との間で紙幣を受け渡すことにより、使用者に紙幣を入金させたり、使用者へ紙幣を出金する部分である。接客部２１は、紙幣を収容する収容器３０を有している。この収容器３０は、上端が入出金口５（図１）と繋がる開口部となっている。接客部２１は、収容器３０の開口部を可動式のシャッタ３１により開放又は閉塞するようになっている。また、接客部２１は、収容器３０の前端部と接客部２１の前側下方に位置する上前搬送部２２とを繋ぐ搬送路３２、及び収容器３０の後端部と接客部２１の後方に位置する上後搬送部２４とを繋ぐ搬送路３３を有している。
【００２４】
この接客部２１は、収容器３０内に収容された紙幣を１枚ずつに分離しながら図中丸印で示す搬送ローラにより搬送路３２に沿って上前搬送部２２へと搬送する。また接客部２１は、上後搬送部２４から搬送されてきた紙幣を、搬送ローラにより搬送路３３に沿って収容器３０まで搬送し、収容器３０内へ放出させるようになっている。
【００２５】
上前搬送部２２は、上部ユニット１０Ｕ内部の前下側に位置しており、１つの分岐箇所を有する搬送路４０と、搬送路４０の分岐箇所に設けられた、紙幣の搬送経路を切り替える切替器４１とを有している。搬送路４０は、接客部２１の搬送路３２、鑑別部２３、及び下部ユニット１０Ｌの前部と接続されている。
【００２６】
この上前搬送部２２は、紙幣制御部２０の制御に従って切替器４１を動作させることで、搬送路４０をもとに形成される紙幣の搬送経路を、接客部２１の搬送路３２と鑑別部２３を繋ぐ搬送経路、又は鑑別部２３と下部ユニット１０Ｌの前部とを繋ぐ搬送経路に切り替える。そして、上前搬送部２２は、切り替えた搬送経路に沿って搬送ローラにより紙幣を搬送するようになっている。
【００２７】
鑑別部２３は、接客部２１の下方且つ上前搬送部２２の後方に位置している。鑑別部２３は、前方の上前搬送部２２及び後方の上後搬送部２４と接続された直線状の鑑別搬送路５０を有していて、この鑑別搬送路５０に沿ってセンサ５１が配置されている。センサ５１は、例えば紙幣の磁気を読み取る磁気センサ、紙幣の画像を読み取るイメージセンサ、紙幣の厚みを検知する厚みセンサ及び紙幣の走行状態を検出する走行センサ等を組み合せたものとなっている。
【００２８】
鑑別部２３は、鑑別搬送路５０に沿って搬送ローラにより紙幣を搬送しながら、センサ５１から得られる種々の検知結果を紙幣制御部２０へ送る。紙幣制御部２０は、鑑別部２３から送られてくる検知結果をもとに紙幣の金種、真偽、正損（損傷しているか否か）等を判断すると共に搬送状態を認識し、それにより得られた紙幣の鑑別結果を基に紙幣の搬送経路や搬送先を決定するようになっている。
【００２９】
上後搬送部２４は、接客部２１及び鑑別部２３の後方に位置している。この上後搬送部２４は、３つの分岐箇所を有する搬送路６０と、３つの分岐箇所のそれぞれに設けられた、切替器６１、６２、６３を有している。
【００３０】
搬送路６０は、接客部２１の搬送路３３、鑑別部２３、一時保留部２５、リジェクト庫２６、及び下部ユニット１０Ｌの後部と接続されている。この上後搬送部２４は、紙幣制御部２０の制御に従って３つの切替器６１、６２、６３を動作させることで、搬送路６０をもとに形成される紙幣の搬送経路を、鑑別部２３と一時保留部２５とを繋ぐ搬送経路、鑑別部２３と接客部２１の搬送路３３とを繋ぐ搬送経路、鑑別部２３とリジェクト庫２６とを繋ぐ搬送経路、又は下部ユニット１０Ｌの後部とリジェクト庫２６とを繋ぐ搬送経路に切り替えるようになっている。そして、上後搬送部２４は、切り替えた搬送経路に沿って搬送ローラにより紙幣を搬送するようになっている。
【００３１】
一時保留部２５は、例えば紙幣をテープとともにドラムに巻き付けるようにして収納するテープ方式であり、上後搬送部２４から紙幣が搬送されてくると、この紙幣をドラムの周側面近傍まで搬送して、ドラムを回転させることにより、紙幣をテープと共にドラムの周側面に巻き付けて収納する。また一時保留部２５は、紙幣を繰り出す場合、ドラムとテープを巻き取るリールとを紙幣収納時とは逆方向に回転させることで、ドラムの周側面からテープと共に紙幣を引き剥がし、これを上後搬送部２４に引き渡すようになっている。
【００３２】
リジェクト庫２６は、例えば損傷の程度が大きく出金すべきで無いと判断されたリジェクト紙幣を収納する部分であり、上後搬送部２４からリジェクト紙幣が搬送されてくると、このリジェクト紙幣を内部の収納空間へ放出して収納する。
【００３３】
［１−２−２．下部ユニットの構成］
図２の下部を拡大した図３（Ｂ）に示すように、下部ユニット１０Ｌの上端部分には、下搬送部２７が配置され、この下搬送部２７の下方には、下部フレーム２８が設けられている。下部フレーム２８は、上端が開放された中空の直方体状であり、内部に、再利用（リサイクル）可能な紙幣を収納する４つの紙幣収納庫２９（２９Ａ、２９Ｂ、２９Ｃ、２９Ｄ）が前後方向に並べて配置されている。
【００３４】
紙幣収納庫２９（２９Ａ〜２９Ｄ）は、何れも同様に構成されており、上下方向に長い直方体状となっている。各紙幣収納庫２９は、紙幣の収納及び繰り出しが可能で、紙幣収納時には、下搬送部２７により搬送されてきた紙幣を内部の収納空間に放出して集積する。また、各紙幣収納庫２９は、紙幣繰り出し時には、内部の収納空間に集積されている紙幣を上から１枚ずつに分離して上方へと搬送し、下搬送部２７に引き渡すようになっている。尚、各紙幣収納庫２９は、それぞれ収納すべき紙幣の金種が予め設定されている。
【００３５】
下搬送部２７は、４つの分岐箇所を有する搬送路７０と、４つの分岐箇所のそれぞれに設けられた、切替器７１、７２、７３、７４とを有している。搬送路７０は、上前搬送部２２、上後搬送部２４、及び紙幣収納庫２９Ａ、２９Ｂ、２９Ｃ、２９Ｄと接続されている。この下搬送部２７は、紙幣制御部２０の制御に従って４つの切替器７１、７２、７３、７４を動作させることで、搬送路７０をもとに形成される紙幣の搬送経路を、上前搬送部２２と紙幣収納庫２９Ａ〜２９Ｄのいずれかとを繋ぐ搬送経路、又は上前搬送部２２と上後搬送部２４とを繋ぐ搬送経路に切り替えるようになっている。そして、下搬送部２７は、切り替えた搬送経路に沿って搬送ローラにより紙幣を搬送するようになっている。
【００３６】
［１−３．入金取引時及び出金取引時の動作］
次に、紙幣入出金機１０における入金取引時及び出金取引時の動作について簡単に説明する。まず、入金取引時の動作から説明する。入金取引時、紙幣入出金機１０は、使用者に入金された紙幣の金種等を鑑別しながら枚数を計数する入金計数処理を行い、その後、各紙幣を適切な収納箇所へ搬送して収納する入金収納処理を行うようになっている。尚、この入金計数処理及び入金収納処理は、紙幣制御部２０が各部を制御して行う処理である。
【００３７】
具体的に、紙幣入出金機１０は、操作表示部６（図１）を介して使用者から入金取引を開始する旨の操作入力を受け付けると、入金計数処理を開始する。入金計数処理を開始すると、紙幣入出金機１０は、接客部２１のシャッタ３１（図３（Ａ））を開く。その後、紙幣入出金機１０は、使用者により収容器３０内へ紙幣が投入されると、接客部２１のシャッタ３１を閉じ、収容器３０内の紙幣を１枚ずつに分離して、上前搬送部２２を介して鑑別部２３へ搬送する。ここで、紙幣入出金機１０は、鑑別結果が正常紙幣であると判別された紙幣については、鑑別部２３から上後搬送部２４を介して一時保留部２５へ搬送して収納する。一方で、鑑別結果が入金に適さない入金リジェクト紙幣であると判別された紙幣については、鑑別部２３から上後搬送部２４を介して接客部２１の搬送路３３へ搬送し、搬送路３３上に退避させる。
【００３８】
そして収容器３０内に投入された紙幣を全て繰り出し終えると、紙幣入出金機１０は、搬送路３３上に退避させている紙幣（つまり入金リジェクト紙幣）を収容器３０に戻してシャッタ３１を開くことで使用者に返却する。一方で、搬送路３３上に退避させている紙幣が存在しない場合、紙幣入出金機１０は、入金計数処理を完了する。その後、紙幣入出金機１０は、接客部２１から取り込んだ紙幣の金種及び枚数の集計結果を基に入金額を算出すると共に、所定の操作指示画面を操作表示部６（図１）に表示させ、使用者に入金額を提示すると共に入金取引を継続するか否かを選択させる。
【００３９】
ここで、使用者により入金取引の中止が指示された場合、紙幣入出金機１０は、一時保留部２５に収納している全ての紙幣を、上後搬送部２４を介して接客部２１の収容器３０へ戻し、シャッタ３１（図３（Ａ））を開くことで使用者に返却する。一方で、使用者により入金取引の継続が指示された場合、紙幣入出金機１０は、入金収納処理を開始する。入金収納処理を開始すると、紙幣入出金機１０は、一時保留部２５に収納している紙幣（つまり正常紙幣）を順次繰り出し、上後搬送部２４を介して鑑別部２３へ搬送して金種を判別する。そして紙幣入出金機１０は、金種が判別された紙幣を、鑑別部２３から上前搬送部２２及び下搬送部２７を順次介して、その金種に対応する紙幣収納庫２９へ搬送して収納する。一時保留部２５に収納されている全ての紙幣を収納し終えると、紙幣入出金機１０は、この入金収納処理を終了する。紙幣入出金機１０における入金取引時の動作は、以上のようになっている。
【００４０】
次に、紙幣入出金機１０における出金取引時の動作について説明する。出金取引時、紙幣入出金機１０は、使用者に指定された金額に応じた金種及び枚数の紙幣を出金する出金処理を行うようになっている。尚、この出金処理も、紙幣制御部２０が各部を制御して行う処理である。
【００４１】
具体的に、紙幣入出金機１０は、操作表示部６（図１）を介して使用者から出金取引を開始する旨及び出金額を指定する旨の操作入力を受け付けると、出金処理を開始する。出金処理を開始すると、紙幣入出金機１０は、出金額に応じた紙幣の金種及び枚数を決定する。そして、紙幣入出金機１０は、決定した金種及び枚数に応じて、各紙幣収納庫２９から紙幣を１枚ずつ繰り出し、下搬送部２７及び上前搬送部２２を順次介して鑑別部２３へ搬送する。
【００４２】
ここで、紙幣入出金機１０は、鑑別結果が正常紙幣であると判別された紙幣については、鑑別部２３から上後搬送部２４を介して接客部２１へ搬送して収容器３０内に集積する。一方で、鑑別結果が出金に適さない出金リジェクト紙幣であると判別された紙幣については、鑑別部２３から上後搬送部２４を介してリジェクト庫２６へ搬送して収納する。そして、紙幣入出金機１０は、出金額分の紙幣が収容器３０内に集積されると、接客部２１のシャッタ３１を開くことで、収容器３０内に集積された紙幣を使用者に取り出させる。紙幣入出金機１０における出金取引時の動作は、以上のようになっている。
【００４３】
［１−４．一時保留部と上後搬送部との紙幣受け渡し部分の構成］
次に、図４を用いて、一時保留部２５と上後搬送部２４との紙幣受け渡し部分の構成について詳しく説明する。尚、図４は、図３（Ａ）に示す上部ユニット１０Ｕの側面図のうち、一時保留部２５と上後搬送部２４との紙幣受け渡し部分を拡大した図であり、一部（搬送ローラなど）を省略したり簡略化したりした模式図となっている。
【００４４】
この図４に示すように、一時保留部２５は、その内部の前側に、水平方向（前後方向）に延びる下側搬送ガイド８０と、この下側搬送ガイド８０の上方に間隔を空けて対向配置された水平方向に延びる上側搬送ガイド８１とが設けられ、これらにより水平方向に延びる第１の搬送路としての一時保留部側搬送路８２が形成されている。
【００４５】
一時保留部２５は、上後搬送部２４との間で紙幣を受け渡すため、下側搬送ガイド８０の前端部と、上側搬送ガイド８１の前端部ととともに、一時保留部側搬送路８２の前端部が、一時保留部２５の前端から一時保留部２５の外部に露出している。
【００４６】
一方、上後搬送部２４は、一時保留部２５の前端の下方に、垂直方向（上下方向）に延びる後側搬送ガイド９０と、この後側搬送ガイド９０の前方に間隔を空けて対向配置された垂直方向に延びる前側搬送ガイド９１とが設けられ、これらにより垂直方向に延びる第２の搬送路としての本体側搬送路９２が形成されている。この本体側搬送路９２は、上後搬送部２４の搬送路６０全体のうち、切替器６２が設けられた分岐箇所と一時保留部２５とを繋ぐ部分である。
【００４７】
そして一時保留部２５の下側搬送ガイド８０の前端部と、上後搬送部２４の後側搬送ガイド９０の上端部とが入れ子構造により連結されているとともに、一時保留部２５の上側搬送ガイド８１の前端部と、上後搬送部２４の前側搬送ガイド９１の上端部とが入れ子構造により連結されている。これにより、一時保留部２５と上後搬送部２４との紙幣受け渡し部分では、一時保留部側搬送路８２と、本体側搬送路９２とがＬ字状に接続されるようになっている。
【００４８】
ここで、下側搬送ガイド８０の前端部と後側搬送ガイド９０の上端部との角部は、面取りされたように傾斜している。さらに前側搬送ガイド９１の上端部は、上側搬送ガイド８１の前端部に向かって後方に湾曲（もしくは傾斜）している。これにより、一時保留部２５と上後搬送部２４との紙幣受け渡し部分では、一時保留部側搬送路８２と本体側搬送路９２の曲がり角で、紙幣が引っ掛かったりすることなくスムーズに紙幣を搬送できるようになっている。
【００４９】
［１−４−１．下側搬送ガイドと後側搬送ガイドの構成］
つづけて、図５、図６を用いて、下側搬送ガイド８０と後側搬送ガイド９０の構成についてさらに詳しく説明する。尚、図５は、連結された状態の下側搬送ガイド８０と後側搬送ガイド９０の外観斜視図である。また図６は、連結された状態の下側搬送ガイド８０と後側搬送ガイド９０を左方向から見た側面図であり、分かり易くするため、下側搬送ガイド８０にのみハッチングを付けている。さらにここでは、矢印Ａｒ１で示す一時保留部側搬送路８２（図５、図６では省略）の搬送方向、及び矢印Ａｒ２で示す本体側搬送路９２（図５、図６では省略）の搬送方向のそれぞれと直交する左右方向を、下側搬送ガイド８０及び後側搬送ガイド９０の幅方向とする。
【００５０】
図５、図６に示すように、下側搬送ガイド８０は、矢印Ａｒ１で示す一時保留部側搬送路８２の搬送方向（前後方向）に延びる板状の第１ガイド部１００と、第１ガイド部１００の先端から、一時保留部側搬送路８２の搬送方向に沿って前方へと延び、そこからさらに前方斜め下に向かって傾斜して延びる第２ガイド部１０１とを有している。第２ガイド部１０１について別の言い方をすると、第２ガイド部１０１は、第１ガイド部１００の先端から、本体側搬送路９２に向かって曲がりながら延びている。この第２ガイド部１０１は、第１ガイド部１００よりも幅が狭い細板状の爪部１０１Ｐを、櫛歯のように幅方向（左右方向）に間隔を空けて複数配置した構成となっている。
【００５１】
具体的にこの第２ガイド部１０１を形成する各爪部１０１Ｐは、一時保留部側搬送路８２の搬送方向に沿って前方に延びる第１の部分１０１Ｆと、第１の部分１０１Ｆの先端から前方斜め下に向かって傾斜して延びる第２の部分１０１Ｓとを有している。このうち第２の部分１０１Ｓは、先端にいくほど、第１ガイド部１００のガイド面となる表面１００Ｕとの距離が遠ざかるように傾斜した傾斜部分である。この第２の部分１０１Ｓにおける、第１ガイド部１００に対する傾斜角度θ１は、３０度以下になっている。
【００５２】
また第２ガイド部１０１を形成する各爪部１０１Ｐの間には、第１ガイド部１００側に第１の入れ子部１０２が形成されている。第１の入れ子部１０２は、第１ガイド部１００の先端部から前方斜め下に向かって傾斜して延びている。この第１の入れ子部１０２は、先端にいくほど、第１ガイド部１００の表面１００Ｕとの距離が遠ざかるように傾斜した傾斜部分である。
【００５３】
さらに各爪部１０１Ｐの先端（つまり第２ガイド部１０１の先端）には、第２の入れ子部１０３が設けられている。このように第１の入れ子部１０２と第２の入れ子部１０３は、下側搬送ガイド８０の幅方向にずらして配置されている。第２の入れ子部１０３は、各爪部１０１Ｐの第２の部分１０１Ｓの先端からさらに前方斜め下に向かって傾斜して延びている。この第２の入れ子部１０３は、先端にいくほど、第２の部分１０１Ｓのガイド面となる表面１０１Ｓｕとの距離が遠ざかるように傾斜した傾斜部分である。下側搬送ガイド８０の構成は、以上のようになっている。
【００５４】
一方、後側搬送ガイド９０は、矢印Ａｒ２で示す本体側搬送路９２の搬送方向（上下方向）に延びる板状の第３ガイド部１１０と、第３ガイド部１１０の先端から、後方斜め上に向かって傾斜して延び、そこからさらに一時保留部側搬送路８２の搬送方向に沿って後方へと延びる第４ガイド部１１１とを有している。第４ガイド部１１１について別の言い方をすると、第４ガイド部１１１は、第３ガイド部１１０の先端から、一時保留部側搬送路８２に向かって曲がりながら延びている。この第４ガイド部１１１は、第３ガイド部１１０より幅が狭い細板状の爪部１１１Ｐを、櫛歯のように幅方向（左右方向）に間隔を空けて複数本配置した構成となっている。尚、図５に示すように、後側搬送ガイド９０は、各爪部１１１Ｐが、下側搬送ガイド８０の各爪部１０１Ｐの間に位置するように配置されている。
【００５５】
具体的にこの第４ガイド部１１１を形成する各爪部１１１Ｐは、後方斜め上に向かって傾斜して延びる第１の部分１１１Ｆと、第１の部分１１１Ｆの先端から一時保留部側搬送路８２の搬送方向に沿って後方に延びる第２の部分１１１Ｓとを有している。このうち第１の部分１１１Ｆは、下側搬送ガイド８０の爪部１０１Ｐの第２の部分１０１Ｓと平行になるように傾斜した傾斜部分である。
【００５６】
また各爪部１１１Ｐの先端（つまり第４ガイド部１１１の先端）には、第３の入れ子部１１２が設けられている。第３の入れ子部１１２は、各爪部１１１Ｐの第２の部分１１１Ｓの先端から後方斜め下に向かって傾斜して延びている。この第３の入れ子部１１２は、先端にいくほど、第２の部分１１１Ｓのガイド面となる表面１１１Ｓｕとの距離が遠ざかるように傾斜した傾斜部分である。
【００５７】
さらに各爪部１１１Ｐの間には、各爪部１１１Ｐの根本側（つまり第４ガイド部１１１の第３ガイド部１１０側）に第４の入れ子部１１３が形成されている。このように第３の入れ子部１１２と第４の入れ子部１１３は、後側搬送ガイド９０の幅方向にずらして配置されている。第４の入れ子部１１３は、後方斜め上に向かって傾斜して延びている。この第４の入れ子部１１３は、先端にいくほど、第１の部分１１１Ｆのガイド面となる表面１１１Ｆｕとの距離が遠ざかるように傾斜した傾斜部分である。
【００５８】
このような構成でなる後側搬送ガイド９０は、第４ガイド部１１１を形成する各爪部１１１Ｐが、下側搬送ガイド８０の第２ガイド部１０１を形成する各爪部１０１Ｐの間に入り込み、第４ガイド部１１１と第２ガイド部１０１とが噛み合わさることで、下側搬送ガイド８０と連結されている。
【００５９】
このとき、下側搬送ガイド８０と後側搬送ガイド９０は、第１ガイド部１００、第２ガイド部１０１、第３ガイド部１１０、第４ガイド部１１１によって角部を面取りしたような略Ｌ字状のガイド面を形成し、これにより、前後方向の一時保留部側搬送路８２と上下方向の本体側搬送路９２との間で搬送される紙幣をガイドするようになっている。またこのとき、下側搬送ガイド８０と後側搬送ガイド９０は、第１の入れ子部１０２と第３の入れ子部１１２、及び第２の入れ子部１０３と第４の入れ子部１１３とが、一時保留部側搬送路８２及び本体側搬送路９２間での紙幣の搬送方向に対向配置された入れ子構造となる。
【００６０】
これにより、下側搬送ガイド８０と後側搬送ガイド９０は、連結部分に紙幣が引っ掛かったりすることなく、スムーズに紙幣を搬送させることができるようになっている。
【００６１】
上述のように、紙幣入出金機１０では、一時保留部２５と上後搬送部２４との紙幣受け渡し部分で、前後方向に延びる第１の搬送路としての一時保留部側搬送路８２と、上下方向に延びる第２の搬送路としての本体側搬送路９２とを接続するようにした。
【００６２】
一方で、紙幣入出金機１０は、図７に示すように、上後搬送部２４に、上下方向に延びる本体側搬送路９２（図中省略）とは別に、もしくは本体側搬送路９２の代わりに、前後方向に延びる本体側搬送路１２２が設けられることで、一時保留部２５と上後搬送部２４との紙幣受け渡し部分で、前後方向に延びる第１の搬送路としての一時保留部側搬送路８２と第２の搬送路としての本体側搬送路１２２とを接続できるようにもなっている。
【００６３】
この場合、紙幣入出金機１０では、一時保留部２５側のガイド構成は変えずに、上後搬送部２４側のガイド構成を変えるだけで、前後方向に延びる一時保留部側搬送路８２と本体側搬送路１２２とを接続できるようになっている。
【００６４】
具体的に説明すると、図７に示すように、上後搬送部２４は、一時保留部２５の前端の前方に、水平方向（前後方向）に延びる下側搬送ガイド１２０と、この下側搬送ガイド１２０の上方に間隔を空けて対向配置された前後方向に延びる上側搬送ガイド１２１とが設けられ、これらにより前後方向に延びる本体側搬送路１２２が形成されている。
【００６５】
そして一時保留部２５の下側搬送ガイド８０の前端部と、上後搬送部２４の下側搬送ガイド１２０の後端部とが入れ子構造により連結されているとともに、一時保留部２５の上側搬送ガイド８１の前端部と、上後搬送部２４の上側搬送ガイド１２１の後端部とが入れ子構造により連結されている。これにより、一時保留部２５と上後搬送部２４との紙幣受け渡し部分では、一時保留部側搬送路８２の前端部と、本体側搬送路１２２の後端部とが直線状に接続されるようになっている。
【００６６】
ここで、図８、図９を用いて、下側搬送ガイド１２０の構成についてさらに詳しく説明する。尚、図８は、連結された状態の下側搬送ガイド８０と下側搬送ガイド１２０の上面図である。また図９は、連結された状態の下側搬送ガイド８０と下側搬送ガイド１２０の側面図であり、分かり易くするため、下側搬送ガイド８０にのみハッチングを付けている。下側搬送ガイド８０の構成については、上述したため、説明を省略する。
【００６７】
下側搬送ガイド１２０は、上述した後側搬送ガイド９０の第３ガイド部１１０と第４ガイド部１１１とをまっすぐに延ばしたような形状であり、矢印Ａｒ３で示す本体側搬送路１２２の搬送方向（前後方向）に延びる板状の第５ガイド部１３０と、第５ガイド部１３０の先端から、一時保留部側搬送路８２に向かってまっすぐ後方へと延びる第６ガイド部１３１とを有している。このうち第６ガイド部１３１は、第５ガイド部１３０よりも幅が狭い細板状の爪部１３１Ｐを、櫛歯のように幅方向（左右方向）に間隔を空けて複数配置した構成となっている。尚、図８に示すように、下側搬送ガイド１２０は、各爪部１３１Ｐが、下側搬送ガイド８０の各爪部１０１Ｐの間に位置するように配置されている。
【００６８】
また各爪部１３１Ｐの先端（つまり第６ガイド部１３１の先端）には、第５の入れ子部１３２が設けられている。第５の入れ子部１３２は、各爪部１３１Ｐの先端から後方斜め下に向かって傾斜して延びている。この第５の入れ子部１３２は、先端にいくほど、第５ガイド部１３０のガイド面となる表面１３０Ｕとの距離が遠ざかるように傾斜した傾斜部分である。
【００６９】
さらに各爪部１３１Ｐの間には、第５ガイド部１３０側（つまり第５ガイド部１３０の先端側）に第６の入れ子部１３３が形成されている。このように第５の入れ子部１３２と第６の入れ子部１３３は、下側搬送ガイド１２０の幅方向にずらして配置されている。第６の入れ子部１３３も、後方斜め下に向かって傾斜して延びている。この第６の入れ子部１３３も、先端にいくほど、第５ガイド部１３０の表面１３０Ｕとの距離が遠ざかるように傾斜した傾斜部分である。
【００７０】
このような構成でなる下側搬送ガイド１２０は、第６ガイド部１３１を形成する各爪部１３１Ｐが、下側搬送ガイド８０の第２ガイド部１０１を形成する各爪部１０１Ｐの間に入り込み、第６ガイド部１３１と第２ガイド部１０１とが噛み合わさることで、下側搬送ガイド８０と連結されている。
【００７１】
このとき、下側搬送ガイド８０と下側搬送ガイド１２０は、第１ガイド部１００、爪部１０１Ｐの根本側に位置する第１の部分１０１Ｆ（つまり第２ガイド部１０１の根本部分）、第５ガイド部１３０、第６ガイド部１３１によって前後方向に延びる直線状のガイド面が形成され、これにより、前後方向の一時保留部側搬送路８２と本体側搬送路１２２との間で搬送される紙幣をガイドするようになっている。またこのとき、下側搬送ガイド８０と下側搬送ガイド１２０は、第１の入れ子部１０２と第５の入れ子部１３２とが、一時保留部側搬送路８２及び本体側搬送路９２間での紙幣の搬送方向に対向配置されるとともに、爪部１０１Ｐの第２の部分１０１Ｓ（つまり第２ガイド部１０１における第２の入れ子部１０３よりも第１ガイド部１００に近い部分）と第６の入れ子部１３３とが、一時保留部側搬送路８２及び本体側搬送路９２間での紙幣の搬送方向に対向配置された入れ子構造となっている。
【００７２】
これにより、下側搬送ガイド８０と下側搬送ガイド１２０は、連結部分に紙幣が引っ掛かったりすることなく、スムーズに紙幣を搬送させることができるようになっている。
【００７３】
このように、下側搬送ガイド８０は、前後方向に延びる一時保留部側搬送路８２に沿って延びる第１ガイド部１００の先端から、上下方向に延びる本体側搬送路９２側となる下方に向かって曲がりながら延びる第２ガイド部１０１の先端側に、上下方向に延びる本体側搬送路９２を形成する後側搬送ガイド９０と入れ子になる第２の入れ子部１０３が設けられ、第２ガイド部１０１における第２の入れ子部１０３よりも第１ガイド部１００の近くに、前後方向に延びる本体側搬送路１２２を形成する下側搬送ガイド１２０と入れ子になる傾斜部分（爪部１０１Ｐの第２の部分１０１Ｓ）が設けられている。
【００７４】
これにより、下側搬送ガイド８０は、一時保留部側搬送路８２と本体側搬送路９２とを接続する場合と、一時保留部側搬送路８２と本体側搬送路１２２とを接続する場合のどちらにも対応することができる。尚、上側搬送ガイド８１については、図４、図６に示すように、一般的な入れ子構造で、一時保留部側搬送路８２と本体側搬送路９２とを接続する場合と、一時保留部側搬送路８２と本体側搬送路１２２とを接続する場合のどちらにも対応することができる。
【００７５】
かくして、紙幣入出金機１０は、一時保留部２５側のガイド構成は変えずに、上後搬送部２４側のガイド構成を変えるだけで、前後方向に延びる一時保留部側搬送路８２と、上下方向に延びる本体側搬送路９２とを接続したり、前後方向に延びる一時保留部側搬送路８２と本体側搬送路１２２とを接続したりすることができる。
【００７６】
［１−５．まとめと効果］
ここまで説明したように、第１の実施の形態の紙幣入出金機１０は、一時保留部２５に、前後方向に延びる一時保留部側搬送路８２を形成する下側搬送ガイド８０を設けた。さらにこの下側搬送ガイド８０に、一時保留部側搬送路８２の搬送方向（前後方向）に沿って延びる第１ガイド部１００と、第１ガイド部１００の先端から、上下方向に延びる本体側搬送路９２に向かって曲がりながら延びる第２ガイド部１０１を設け、さらに第１ガイド部１００の第２ガイド部１０１側に第１の入れ子部１０２を設けるとともに、第２ガイド部１０１の先端に第２の入れ子部１０３を設けた。
【００７７】
そして、この下側搬送ガイド８０が、上下方向に延びる本体側搬送路９２を形成する後側搬送ガイド９０と連結された際には、下側搬送ガイド８０の第１ガイド部１００及び第２ガイド部１０１と、後側搬送ガイド９０とによって、角部を面取りしたような略Ｌ字状のガイド面を形成する。
【００７８】
またこのとき、下側搬送ガイド８０は、第１の入れ子部１０２と第２の入れ子部１０３とが、後側搬送ガイド９０に設けられた第３の入れ子部１１２と第４の入れ子部１１３とに対して、一時保留部側搬送路８２及び本体側搬送路９２間での紙幣の搬送方向に対向配置された入れ子構造となる。
【００７９】
一方、この下側搬送ガイド８０が、前後方向に延びる本体側搬送路１２２を形成する下側搬送ガイド１２０と連結された際には、下側搬送ガイド８０の第１ガイド部１００と、第２ガイド部１０１の根本側に位置する前後方向に延びている部分（つまり爪部１０１Ｐの第１の部分１０１Ｆ）と、下側搬送ガイド１２０とによって、直線状のガイド面を形成する。
【００８０】
またこのとき、下側搬送ガイド８０は、第１の入れ子部１０２と、第２ガイド部１０１の傾斜部分（つまり爪部１０１Ｐの第２の部分１０１Ｓ）とが、下側搬送ガイド１２０に設けられた第５の入れ子部１３２と第６の入れ子部１３３とに対して、一時保留部側搬送路８２及び本体側搬送路１２２間での紙幣の搬送方向に対向配置された入れ子構造となる。つまり、このとき、下側搬送ガイド８０は、第２の入れ子部１０３ではなく、第２ガイド部１０１の傾斜部分が入れ子部として機能する。
【００８１】
このように、下側搬送ガイド８０は、第２ガイド部１０１に、下側搬送ガイド８０とＬ字状に連結される後側搬送ガイド９０と入れ子になる第２の入れ子部１０３と、下側搬送ガイド８０と直線状に連結される下側搬送ガイド１２０と入れ子になる傾斜部分（爪部１０１Ｐの第２の部分１０１Ｓ）とが設けられている。別の言い方をすると、下側搬送ガイド８０の第２ガイド部１０１は、一時保留部側搬送路８２と、一時保留部側搬送路８２とは搬送方向が異なる方向でなる本体側搬送路９２とを接続する場合には、先端側に設けられた第２の入れ子部１０３が、後側搬送ガイド９０と入れ子になる。一方で、この第２ガイド部１０１は、一時保留部側搬送路８２と、一時保留部側搬送路８２と搬送方向が同一方向でなる本体側搬送路１２２とを接続する場合には、第２の入れ子部１０３よりも第１ガイド部１００に近い部分（爪部１０１Ｐの第２の部分１０１Ｓ）が、下側搬送ガイド２３０と入れ子になる。つまり下側搬送ガイド２００の第２ガイド部２１１は、一時保留部側搬送路８２と本体側搬送路９２とを接続する場合と、一時保留部側搬送路８２と本体側搬送路１２２とを接続する場合とのいずれの場合においても、連結される搬送ガイド（後側搬送ガイド９０又は下側搬送ガイド１２０）との間で入れ子構造を形成する共通入れ子部となっている。
【００８２】
これにより、下側搬送ガイド８０は、一時保留部側搬送路８２と本体側搬送路９２とを接続する場合と、一時保留部側搬送路８２と本体側搬送路１２２とを接続する場合のどちらにも対応することができる。
【００８３】
かくして、紙幣入出金機１０は、一時保留部２５側のガイド構成は変えずに、上後搬送部２４側のガイド構成を変えるだけで、前後方向に延びる一時保留部側搬送路８２と、上下方向に延びる本体側搬送路９２とを接続したり、前後方向に延びる一時保留部側搬送路８２と本体側搬送路１２２とを接続したりすることができる。
【００８４】
これにより、紙幣入出金機１０では、一時保留部２５を、異なる２方向の搬送経路で流用できるので、内部レイアウトを低コストで柔軟に設計できるようになる。具体的には、例えば、一時保留部２５と上後搬送部２４との搬送経路をＬ字状の搬送経路から直線状の搬送経路に変更する場合に、一時保留部２５をそのまま流用することができる。また例えば、一時保留部２５と上後搬送部２４との搬送経路がＬ字状の搬送経路である紙幣入出金機１０と、この搬送経路が直線状の搬送経路である紙幣入出金機１０とで、同一の一時保留部２５を使用することができる。また内部レイアウトを柔軟に設計できるので、一時保留部２５と上後搬送部２４との搬送経路を効率良く配置して紙幣入出金機１０を小型化することも容易である。
【００８５】
［２．第２の実施の形態］
次に、第２の実施の形態について説明する。この第２の実施の形態は、一時保留部２５と上後搬送部２４との紙幣受け渡し部分の構成が、第１の実施の形態とは異なる実施の形態であり、それ以外の部分については、第１の実施の形態と同一になっている。よってここでは一時保留部２５と上後搬送部２４との紙幣受け渡し部分についてのみ説明する。
【００８６】
［２−１．一時保留部と上後搬送部との紙幣受け渡し部分の構成］
図１０を用いて、第２の実施の形態による一時保留部２５と上後搬送部２４との紙幣受け渡し部分の構成について詳しく説明する。
【００８７】
この図１０に示すように、一時保留部２５は、その内部の前側に、水平方向（前後方向）に延びる下側搬送ガイド２００と、この下側搬送ガイド２００の上方に間隔を空けて対向配置された水平方向に延びる上側搬送ガイド８１とが設けられ、これらにより水平方向に延びる一時保留部側搬送路８２が形成されている。
【００８８】
一方、上後搬送部２４は、一時保留部２５の前端の下方に、垂直方向（上下方向）に延びる後側搬送ガイド２０１と、この後側搬送ガイド２０１の前方に間隔を空けて対向配置された垂直方向に延びる前側搬送ガイド９１とが設けられ、これらにより垂直方向に延びる本体側搬送路９２が形成されている。
【００８９】
そして一時保留部２５の下側搬送ガイド２００の前端部と、上後搬送部２４の後側搬送ガイド２０１の上端部とが入れ子構造により連結されているとともに、一時保留部２５の上側搬送ガイド８１の前端部と、上後搬送部２４の前側搬送ガイド９１の上端部とが入れ子構造により連結されている。これにより、一時保留部２５と上後搬送部２４との紙幣受け渡し部分では、一時保留部側搬送路８２と、本体側搬送路９２とがＬ字状に接続されるようになっている。
【００９０】
ここで、下側搬送ガイド２００の前端部が後側搬送ガイド２０１の上端部に向かってなめらかに湾曲している。この点が第１の実施の形態とは大きく異なる。さらに前側搬送ガイド９１の上端部は、上側搬送ガイド８１の前端部に向かって後方に湾曲（もしくは傾斜）している。これにより、一時保留部２５と上後搬送部２４との紙幣受け渡し部分では、一時保留部側搬送路８２と本体側搬送路９２の曲がり角で、紙幣が引っ掛かったりすることなくスムーズに紙幣を搬送できるようになっている。
【００９１】
尚、一時保留部２５の上側搬送ガイド８１と、上後搬送部２４の前側搬送ガイド９１については、第１の実施の形態と同一構成のため、説明を省略する。以下、下側搬送ガイド２００と後側搬送ガイド２０１の構成についてさらに詳しく説明する。
【００９２】
［２−１−１．下側搬送ガイドと後側搬送ガイドの構成］
図１１、図１２（Ａ）、（Ｂ）に、連結された状態の下側搬送ガイド２００と後側搬送ガイド２０１の構成を示す。尚、図１１は、連結された状態の下側搬送ガイド２００と後側搬送ガイド２０１の外観斜視図である。また図１２（Ａ）、（Ｂ）は、連結された状態の下側搬送ガイド２００と後側搬送ガイド２０１を左方向から見た断面図であり、図１２（Ａ）と図１２（Ｂ）とで、断面の位置を幅方向（左右方向）にずらしてある。さらに図１１、図１２（Ａ）、（Ｂ）は、分かり易くするため、下側搬送ガイド２００にのみハッチングを付けている。
【００９３】
図１１、図１２（Ａ）、（Ｂ）に示すように、下側搬送ガイド２００は、矢印Ａｒ１で示す一時保留部側搬送路８２の搬送方向（前後方向）に延びる板状の第１ガイド部２１０と、第１ガイド部２１０の先端から、一時保留部側搬送路８２の搬送方向に沿って前方へと延び、そこからさらに前方斜め下に向かって湾曲しながら延びる第２ガイド部２１１とを有している。第２ガイド部２１１について別の言い方をすると、第２ガイド部２１１は、第１ガイド部２１０の先端から、本体側搬送路９２側となる下方に向かって略円弧状に湾曲しながら延びていて、先端部分が本体側搬送路９２とほぼ平行になっている。この第２ガイド部２１１は、第１ガイド部２１０よりも幅が狭い細板状の爪部２１１Ｐを、櫛歯のように幅方向（左右方向）に間隔を空けて複数配置した構成となっている。
【００９４】
具体的にこの第２ガイド部２１１を形成する各爪部２１１Ｐは、一時保留部側搬送路８２の搬送方向に沿って前方に延びる第１の部分２１１Ｆと、第１の部分２１１Ｆの先端から前方斜め下に向かって（つまり本体側搬送路９２に向かって）湾曲しながら延びる第２の部分２１１Ｓとを有している。このうち第２の部分２１１Ｓは、先端にいくほど、第１ガイド部２１０のガイド面となる表面２１０Ｕとの距離が遠ざかるように湾曲した湾曲部分である。以下、第２ガイド部２１１の湾曲部分とは、この第２の部分２１１Ｓのことを指す。
【００９５】
また第２ガイド部２１１を形成する各爪部２１１Ｐの間には、各爪部２１１Ｐの根本側（つまり第１ガイド部２１０の先端側）に第１の入れ子部２１２が形成されている。第１の入れ子部２１２は、第１ガイド部２１０の先端部から前方斜め下に向かって傾斜して延びている。この第１の入れ子部２１２は、先端にいくほど、第１ガイド部２１０のガイド面となる表面２１０Ｕとの距離が遠ざかるように傾斜した傾斜部分である。
【００９６】
さらに各爪部２１１Ｐの先端（つまり第２ガイド部２１１の先端）には、第２の入れ子部２１３が設けられている。第２の入れ子部２１３は、各爪部２１１Ｐの第２の部分２１１Ｓの先端からさらに後方斜め下に向かって傾斜して延びている。この第２の入れ子部２１３は、先端にいくほど、第２の部分２１１Ｓのガイド面となる表面２１１Ｓｕとの距離が遠ざかるように傾斜した傾斜部分である。
【００９７】
さらに各爪部２１１Ｐの第２の部分２１１Ｓの間（つまり第２ガイド部２１１の第２の入れ子部２１３に向かう途中）には、第３の入れ子部２１４が設けられている。より詳しくは、この第３の入れ子部２１４は、一時保留部側搬送路８２及び本体側搬送路９２間での紙幣の搬送方向に対し、第２ガイド部２１１における第２の入れ子部２１３に向かう途中に設けられている。このように第１の入れ子部２１２と第２の入れ子部２１３は、下側搬送ガイド２００の幅方向にずらして配置され、第１の入れ子部２１２と第３の入れ子部２１４は、下側搬送ガイド２００の幅方向にそろえて配置されている。この第３の入れ子部２１４は、各爪部２１１Ｐの第２の部分２１１Ｓの表面２１１Ｓｕから後方斜め下に凹んだ位置にあり、第１の入れ子部２１２と第２の入れ子部２１３のほぼ中間に位置していて、前方斜め下に向かって傾斜して延びている。この第３の入れ子部２１４は、第２の部分２１１Ｓの表面２１１Ｓｕにほぼ沿って傾斜した傾斜部分である。下側搬送ガイド２００の構成は、以上のようになっている。
【００９８】
一方、後側搬送ガイド２０１は、矢印Ａｒ２で示す本体側搬送路９２の搬送方向（上下方向）に延びる第３ガイド部２２０を有している。この第３ガイド部２２０は、細板状の爪部２２０Ｐを、櫛歯のように幅方向（左右方向）に間隔を空けて複数本配置した構成となっている。尚、図１１に示すように、後側搬送ガイド２０１は、各爪部２２０Ｐが、下側搬送ガイド２００の各爪部２１１Ｐの間に位置するように、各爪部２２０Ｐが配置されている。
【００９９】
具体的に各爪部２２０Ｐは、上下方向に延びていて、上端が、下側搬送ガイド２００の第２の入れ子部２１３より上方で、第３の入れ子部２１４より下方に位置するようになっている。
【０１００】
また各爪部２２０Ｐの間には、各爪部２２０Ｐの先端より下方（つまり第３ガイド部２２０の途中）に第４の入れ子部２２１が形成されている。第４の入れ子部２２１は、各爪部２２０Ｐのガイド面となる表面２２０Ｐｕから後方に凹んだ位置にあり、後方斜め上に向かって傾斜して延びている。この第４の入れ子部２２１は、先端にいくほど、各爪部２２０Ｐの表面２２０Ｐｕとの距離が遠ざかるように傾斜した傾斜部分である。
【０１０１】
さらに各爪部２２０Ｐの先端（つまり第３ガイド部２２０の先端）には、第５の入れ子部２２２が設けられている。このように第４の入れ子部２２１と第５の入れ子部２２２は、後側搬送ガイド２０１の幅方向にずらして配置されている。第５の入れ子部２２２は、各爪部２２０Ｐの先端から後方斜め上に向かって傾斜して延びている。この第５の入れ子部２２２も、先端にいくほど、各爪部２２０Ｐの表面２２０Ｐｕとの距離が遠ざかるように傾斜した傾斜部分である。尚、第４の入れ子部２２１は、第３ガイド部２２０の第５の入れ子部２２２に向かう途中に設けられている。より詳しくは、この第４の入れ子部２２１は、一時保留部側搬送路８２及び本体側搬送路９２間での紙幣の搬送方向に対し、第３ガイド部２２０における第５の入れ子部２２２に向かう途中に設けられている。
【０１０２】
このような構成でなる後側搬送ガイド２０１は、第３ガイド部２２０が有する各爪部２２０Ｐが、下側搬送ガイド２００の第２ガイド部２１１を形成する各爪部２１１Ｐの間に入り込み、第３ガイド部２２０と第２ガイド部２１１とが噛み合わさることで、下側搬送ガイド２００と連結されている。
【０１０３】
このとき、下側搬送ガイド２００と後側搬送ガイド２０１は、第１ガイド部２１０、第２ガイド部２１１、第３ガイド部２２０によって角部がなめらかに湾曲している略Ｌ字状のガイド面を形成し、これにより、前後方向の一時保留部側搬送路８２と上下方向の本体側搬送路９２との間で搬送される紙幣をガイドするようになっている。またこのとき、下側搬送ガイド２００と後側搬送ガイド２０１は、第２の入れ子部２１３と第４の入れ子部２２１、及び第３の入れ子部２１４と第５の入れ子部２２２とが、一時保留部側搬送路８２及び本体側搬送路９２間での紙幣の搬送方向に対向配置された入れ子構造となる。
【０１０４】
これにより、下側搬送ガイド２００と後側搬送ガイド２０１は、連結部分に紙幣が引っ掛かったりすることなく、スムーズに紙幣を搬送させることができるようになっている。
【０１０５】
さらに言うと、第２の実施の形態の下側搬送ガイド２００と後側搬送ガイド２０１は、第１ガイド部２１０、第２ガイド部２１１、第３ガイド部２２０によって角部がなめらかに湾曲している略Ｌ字状のガイド面を形成することにより、角部が面取りされたような略Ｌ字状のガイド面を形成する第１の実施の形態と比べて、紙幣の引っ掛かりを一段と確実に防ぎ、よりスムーズに紙幣を搬送させることができる。
【０１０６】
さらにこの第２の実施の形態では、第１の実施の形態と同様、図１３に示すように、上後搬送部２４に、上下方向に延びる本体側搬送路９２（図中省略）とは別に、もしくは本体側搬送路９２の代わりに、前後方向に延びる本体側搬送路１２２が設けられることで、一時保留部２５と上後搬送部２４との紙幣受け渡し部分で、前後方向に延びる第１の搬送路としての一時保留部側搬送路８２と第２の搬送路としての本体側搬送路１２２とを接続できるようにもなっている。
【０１０７】
この場合も、一時保留部２５側のガイド構成は変えずに、上後搬送部２４側のガイド構成を変えるだけで、前後方向に延びる一時保留部側搬送路８２と本体側搬送路１２２とを接続できるようになっている。
【０１０８】
具体的に説明すると、図１３に示すように、上後搬送部２４は、一時保留部２５の前端の前方に、水平方向（前後方向）に延びる下側搬送ガイド２３０と、この下側搬送ガイド２３０の上方に間隔を空けて対向配置された前後方向に延びる上側搬送ガイド１２１とが設けられ、これらにより前後方向に延びる本体側搬送路１２２が形成されている。
【０１０９】
そして一時保留部２５の下側搬送ガイド２００の前端部と、上後搬送部２４の下側搬送ガイド２３０の後端部とが入れ子構造により連結されているとともに、一時保留部２５の上側搬送ガイド８１の前端部と、上後搬送部２４の上側搬送ガイド１２１の後端部とが入れ子構造により連結されている。これにより、一時保留部２５と上後搬送部２４との紙幣受け渡し部分では、一時保留部側搬送路８２の前端部と、本体側搬送路１２２の後端部とが直線状に接続されるようになっている。
【０１１０】
ここで、図１４を用いて、上後搬送部２４の下側搬送ガイド２３０の構成についてさらに詳しく説明する。尚、図１４は、連結された状態の下側搬送ガイド２００と下側搬送ガイド２３０を左方向から見た断面図であり、分かり易くするため、下側搬送ガイド２００にのみハッチングを付けている。
【０１１１】
この下側搬送ガイド２３０は、第１の実施の形態の下側搬送ガイド１２０と基本的な構成は同一であり、簡単に説明すると、矢印Ａｒ３で示す本体側搬送路１２２の搬送方向（前後方向）に延びる板状の第４ガイド部２４０と、第４ガイド部２４０の先端から、一時保留部側搬送路８２に向かってまっすぐ後方へと延びる第５ガイド部２４１とを有している。このうち第５ガイド部２４１は、第４ガイド部２４０よりも幅が狭い細板状の爪部２４１Ｐを、櫛歯のように幅方向（左右方向）に間隔を空けて複数配置した構成となっている。
【０１１２】
また各爪部２４１Ｐの先端（つまり第５ガイド部２４１の先端）には、第６の入れ子部２４２が設けられている。さらに各爪部２４１Ｐの間には、第４ガイド部２４０側（つまり第４ガイド部２４０の先端側）に第７の入れ子部２４３が形成されている。
【０１１３】
下側搬送ガイド２３０は、第５ガイド部２４１を形成する各爪部２４１Ｐが、下側搬送ガイド２００の第２ガイド部２１１を形成する各爪部２１１Ｐの間に入り込み、第５ガイド部２４１と第２ガイド部２１１とが噛み合わさることで、下側搬送ガイド２００と連結されている。
【０１１４】
このとき、下側搬送ガイド２００と下側搬送ガイド２３０は、第１ガイド部２１０、爪部２１１Ｐの根本側に位置する第１の部分２１１Ｆ（つまり第２ガイド部２１１の根本部分）、第４ガイド部２４０、第５ガイド部２４１によって前後方向に延びる直線状のガイド面が形成され、これにより、前後方向の一時保留部側搬送路８２と本体側搬送路１２２との間で搬送される紙幣をガイドするようになっている。またこのとき、下側搬送ガイド２００と下側搬送ガイド２３０は、第１の入れ子部２１２と第６の入れ子部２４２とが、一時保留部側搬送路８２及び本体側搬送路１２２間での紙幣の搬送方向に対向配置されるとともに、爪部２１１Ｐの第２の部分２１１Ｓにおける第１の部分２１１Ｆに近い部分（つまり第２ガイド部２１１における第２の入れ子部２１３よりも第１ガイド部２１０に近い部分）と第７の入れ子部２４３とが、一時保留部側搬送路８２及び本体側搬送路１２２間での紙幣の搬送方向に対向配置された入れ子構造となっている。
【０１１５】
これにより、下側搬送ガイド２００と下側搬送ガイド２３０は、連結部分に紙幣が引っ掛かったりすることなく、スムーズに紙幣を搬送させることができるようになっている。
【０１１６】
このように、下側搬送ガイド２００は、前後方向に延びる一時保留部側搬送路８２に沿って延びる第１ガイド部２１０の先端から、上下方向に延びる本体側搬送路９２側となる下方に向かって湾曲しながら延びる第２ガイド部２１１の先端側に、上下方向に延びる本体側搬送路９２を形成する後側搬送ガイド９０と入れ子になる第２の入れ子部２１３及び第３の入れ子部２１４が設けられ、第２ガイド部２１１における第２の入れ子部２１３よりも第１ガイド部２１０の近くに、前後方向に延びる本体側搬送路１２２を形成する下側搬送ガイド２３０と入れ子になる湾曲部分（爪部２１１Ｐの第２の部分２１１Ｓ）が設けられている。
【０１１７】
これにより、下側搬送ガイド２００は、一時保留部側搬送路８２と本体側搬送路９２とを接続する場合と、一時保留部側搬送路８２と本体側搬送路１２２とを接続する場合のどちらにも対応することができる。
【０１１８】
かくして、第２の実施の形態でも、一時保留部２５側のガイド構成は変えずに、上後搬送部２４側のガイド構成を変えるだけで、前後方向に延びる一時保留部側搬送路８２と、上下方向に延びる本体側搬送路９２とを接続したり、前後方向に延びる一時保留部側搬送路８２と本体側搬送路１２２とを接続したりすることができる。
【０１１９】
［２−２．まとめと効果］
ここまで説明したように、第２の実施の形態では、一時保留部２５の下側搬送ガイド２００に、一時保留部側搬送路８２の搬送方向（前後方向）に沿って延びる第１ガイド部２１０と、第１ガイド部２１０の先端から、上下方向に延びる本体側搬送路９２に向かって下方に湾曲しながら延びる第２ガイド部２１１を設け、さらに第１ガイド部２１０の第２ガイド部２１１側に第１の入れ子部２１２を設けるとともに、第２ガイド部２１１の先端に第２の入れ子部２１３を設け、さらに第２ガイド部２１１の途中に第３の入れ子部２１４を設けた。
【０１２０】
そして、この下側搬送ガイド２００が、上下方向に延びる本体側搬送路９２を形成する後側搬送ガイド２０１と連結された際には、下側搬送ガイド２００の第１ガイド部２１０及び第２ガイド部２１１と、後側搬送ガイド２０１とによって、角部がなめらかに湾曲した略Ｌ字状のガイド面を形成する。
【０１２１】
これにより、下側搬送ガイド２００と後側搬送ガイド２０１は、角部が面取りされたような略Ｌ字状のガイド面を形成する第１の実施の形態と比べて、紙幣の引っ掛かりを一段と確実に防ぎ、よりスムーズに紙幣を搬送させることができる。
【０１２２】
また下側搬送ガイド２００は、後側搬送ガイド２０１と連結された際には、第２の入れ子部２１３と第３の入れ子部２１４とが、後側搬送ガイド２０１に設けられた第４の入れ子部２２１と第５の入れ子部２２２とに対して、一時保留部側搬送路８２及び本体側搬送路９２間での紙幣の搬送方向に対向配置された入れ子構造となる。
【０１２３】
一方、この下側搬送ガイド２００が、前後方向に延びる本体側搬送路１２２を形成する下側搬送ガイド２３０と連結された際には、下側搬送ガイド２００の第１ガイド部２１０と、第２ガイド部２１１の根本側に位置する前後方向に延びている部分（つまり爪部２１１Ｐの第１の部分２１１Ｆ）と、下側搬送ガイド２３０とによって、直線状のガイド面を形成する。
【０１２４】
またこのとき、下側搬送ガイド２００は、第１の入れ子部２１２と爪部２１１Ｐの第２の部分２１１Ｓ（つまり第２ガイド部２１１の湾曲部分）とが、下側搬送ガイド２３０に設けられた第６の入れ子部２４２と第７の入れ子部２４３とに対して、一時保留部側搬送路８２及び本体側搬送路９２間での紙幣の搬送方向に対向配置された入れ子構造となる。つまり、このとき、下側搬送ガイド２００は、第２の入れ子部２１３及び第３の入れ子部２１４ではなく、第２ガイド部２１１の湾曲部分が入れ子部として機能する。
【０１２５】
このように、下側搬送ガイド２００は、第２ガイド部２１１に、下側搬送ガイド２００とＬ字状に連結される後側搬送ガイド２０１と入れ子になる第２の入れ子部２１３及び第３の入れ子部２１４と、下側搬送ガイド２００と直線状に連結される下側搬送ガイド２３０と入れ子になる湾曲部分（爪部２１１Ｐの第２の部分２１１Ｓ）とが設けられている。別の言い方をすると、下側搬送ガイド２００の第２ガイド部２１１は、一時保留部側搬送路８２と、一時保留部側搬送路８２とは搬送方向が異なる方向でなる本体側搬送路９２とを接続する場合には、先端側に設けられた第２の入れ子部２１３が、後側搬送ガイド２０１と入れ子になる。一方で、この第２ガイド部２１１は、一時保留部側搬送路８２と、一時保留部側搬送路８２と搬送方向が同一方向でなる本体側搬送路１２２とを接続する場合には、第２の入れ子部２１３よりも第１ガイド部２１０に近い部分（爪部２１１Ｐの第２の部分２１１Ｓ）が、下側搬送ガイド２３０と入れ子になる。つまり、下側搬送ガイド２００の第２ガイド部２１１は、一時保留部側搬送路８２と本体側搬送路９２とを接続する場合と、一時保留部側搬送路８２と本体側搬送路１２２とを接続する場合とのいずれの場合においても、連結される搬送ガイド（後側搬送ガイド２０１又は下側搬送ガイド２３０）との間で入れ子構造を形成する共通入れ子部となっている。
【０１２６】
これにより、下側搬送ガイド２００は、一時保留部側搬送路８２と本体側搬送路９２とを接続する場合と、一時保留部側搬送路８２と本体側搬送路１２２とを接続する場合のどちらにも対応することができる。
【０１２７】
かくして、この第２の実施の形態では、第１の実施の形態と同様、一時保留部２５を、異なる２方向の搬送ルートで流用できるとともに、第１の実施の形態と比べて、紙幣の引っ掛かりを一段と確実に防ぎ、よりスムーズに紙幣を搬送させることができる。
【０１２８】
［３．他の実施の形態］
［３−１．他の実施の形態１］
尚、上述した第１及び第２の実施の形態では、第１のユニットとしての一時保留部２５と、第２のユニットとしての上後搬送部２４との紙幣受け渡し部分に本発明を適用したが、これに限らず、他のユニット間の紙幣受け渡し部分に適用してもよい。
【０１２９】
［３−２．他の実施の形態２］
また上述した第１の実施の形態では、一時保留部２５の下側搬送ガイド８０及び上側搬送ガイド８１と、上後搬送部２４の後側搬送ガイド９０及び前側搬送ガイド９１によって、前後方向に延びる一時保留部側搬送路８２の前端と、上下方向に延びる本体側搬送路９２の上端とを接続するようにした。つまり、一時保留部２５と上後搬送部２４との紙幣受け渡し部分では、本体側搬送路９２が、一時保留部側搬送路８２の前端から下方に延びるようにした。
【０１３０】
これに限らず、例えば、一時保留部２５と上後搬送部２４との紙幣受け渡し部分で、本体側搬送路９２が、一時保留部側搬送路８２の前端から上方に延びるようにしてもよい。この場合、図４に示す、下側搬送ガイド８０、上側搬送ガイド８１、後側搬送ガイド９０、及び前側搬送ガイド９１の全体を、上下反転した構成にすればよい。第２の実施の形態についても同様である。
【０１３１】
［３−３．他の実施の形態３］
また上述した第１の実施の形態では、一時保留部２５の下側搬送ガイド８０が、前後方向に紙幣を搬送するための第１の搬送路としての一時保留部側搬送路８２と、上下方向に紙幣を搬送するための第２の搬送路としての本体側搬送路９２とでなる搬送経路と、ともに前後方向に紙幣を搬送するための一時保留部側搬送路８２と本体側搬送路１２２とでなる搬送経路との２つの異なる搬送経路に対応するようにした。これに限らず、下側搬送ガイド８０と、他のガイド（上側搬送ガイド８１、後側搬送ガイド９０、前側搬送ガイド９１）の配置などを変更することで、下側搬送ガイド８０を、上述した２つの異なる搬送経路以外の搬送経路にも対応させることができる。
【０１３２】
つまり、本発明は、下側搬送ガイド８０を、搬送方向が異なる２つの搬送路とでなる搬送経路と、搬送方向が同一の搬送路でなる搬送経路との２つの異なる搬送経路とに対応させることができる。第２の実施の形態についても同様である。
【０１３３】
［３−４．他の実施の形態４］
さらに上述した第１の実施の形態では、図６、図９などに示すように、第１の入れ子部１０２、第２の入れ子部１０３、第３の入れ子部１１２、第４の入れ子部１１３、第５の入れ子部１３２、第６の入れ子部１３３を、それぞれ平面状に傾斜する傾斜部分とした。これに限らず、これらを、曲面状に傾斜する傾斜部分としてもよい。第２の実施の形態についても同様に、第１の入れ子部２１２、第２の入れ子部２１３、第３の入れ子部２１４、第４の入れ子部２２１、第５の入れ子部２２２、第６の入れ子部２４２、第７の入れ子部２４３を、曲面状に傾斜する傾斜部分としてもよい。
【０１３４】
［３−５．他の実施の形態５］
さらに上述した各実施の形態では、本発明を、媒体処理装置としての紙幣入出金機１０に適用したが、これに限らず、例えば、切符や帳票などの紙幣以外の媒体を処理する媒体処理装置に適用してもよい。さらに上述した各実施の形態では、本発明を、自動取引装置としての現金自動預払機１に適用したが、これに限らず、例えば、切符や帳票などの紙幣以外の媒体を扱う自動取引装置に適用してもよい。
【０１３５】
［３−６．他の実施の形態６］
さらに上述した各実施の形態では、第１のユニットとしての一時保留部２５に、第１の搬送路としての一時保留部側搬送路８２を形成する第１の搬送ガイドとして、下側搬送ガイド８０、２００を設けたが、これに限らず、同一の機能を有するものであれば、下側搬送ガイド８０、２００とは異なる第１の搬送ガイドを設けるようにしてもよい。また上述した各実施の形態では、第２のユニットとしての上後搬送部２４に、第２の搬送路としての本体側搬送路９２、１２２を形成する第２の搬送ガイドとして、後側搬送ガイド９０、２０１、及び下側搬送ガイド１２０、２３０を設けたが、これに限らず、同一の機能を有するものであれば、後側搬送ガイド９０、２０１、及び下側搬送ガイド１２０、２３０とは異なる第２の搬送ガイドを設けるようにしてもよい。
【０１３６】
［３−７．他の実施の形態７］
さらに、本発明は、上述した各実施の形態に限定されるものではない。すなわち本発明は、上述した第１及び第２の実施の形態と他の実施の形態の一部または全部を任意に組み合わせた実施の形態や、一部を抽出した実施の形態にもその適用範囲が及ぶものである。
【産業上の利用可能性】
【０１３７】
本発明は、紙幣などの媒体を処理する媒体処理装置で広く利用することができる。
【符号の説明】
【０１３８】
１……現金自動預払機、１０……紙幣入出金機、２４……上後搬送部、２５……一時保留部、８０、１２０、２００、２３０……下側搬送ガイド、８１、１２１……上側搬送ガイド、８２……一時保留部側搬送路、９０、１２２、２０１……後側搬送ガイド、９１……前側搬送ガイド、９２……本体側搬送路、１００、２１０……第１ガイド部、１０１、２１１……第２ガイド部、１０１Ｐ、１１１Ｐ、１３１Ｐ、２１１Ｐ、２２０Ｐ……爪部、１０２、２１２……第１の入れ子部、１０３、２１３……第２の入れ子部、１１０、２２０……第３ガイド部、１１１、２４０……第４ガイド部、１１２、２１４……第３の入れ子部、１１３、２２１……第４の入れ子部、１３０、２４１……第５ガイド部、１３１……第６ガイド部、１３２、２２２……第５の入れ子部、１３３、２４２……第６の入れ子部、２４３……第７の入れ子部。
【図１】
2020200132.tif 000003
【図２】
2020200132.tif 000004
【図３】
2020200132.tif 000005
【図４】
2020200132.tif 000006
【図５】
2020200132.tif 000007
【図６】
2020200132.tif 000008
【図７】
2020200132.tif 000009
【図８】
2020200132.tif 000010
【図９】
2020200132.tif 000011
【図１０】
2020200132.tif 000012
【図１１】
2020200132.tif 000013
【図１２】
2020200132.tif 000014
【図１３】
2020200132.tif 000015
【図１４】
2020200132.tif 000016